(57)【要約】【課題】  二種金属製線ぴへの穴あけ加工を不要にし、二種金属製線ぴ内の電線やケーブルを傷つけるおそれをなくし、施工検査後でも二種金属製線ぴ内の電線やケーブルの除去などの煩雑な作業を不要にした二種金属製線ぴ用アース金具を提供する。【解決手段】  締付けボルトを螺着するための第１のネジ穴とアースボンド線の端子を取付けるためのビスを螺着するための第２のネジ穴を備えた基部と、前記基部の長手方向の一端から垂直方向に延設された脚部と、前記脚部の先端から横方向に前記基部と対向するように延設された受け部とを備え、二種金属製線ぴを前記第１のネジ穴に螺着した締付けボルトの先端部と前記受け部とで挟着するようにした。【選択図】        図２
2006302833.tif 000002
【特許請求の範囲】
【請求項１】
締付けボルトを螺着するための第１のネジ穴とアースボンド線の端子を取付けるためのビスを螺着するための第２のネジ穴を備えた基部と、
前記基部の長手方向の一端から垂直方向に延設された脚部と、
前記脚部の先端から横方向に前記基部と対向するように延設された受け部とを備え、
二種金属製線ぴを前記第１のネジ穴に螺着した締付けボルトの先端部と前記受け部とで挟着するようにしたことを特徴とする二種金属製線ぴ用アース金具。
【発明の詳細な説明】
【技術分野】
【０００１】
本発明は二種金属製線ぴ用アース金具に関する。
【背景技術】
【０００２】
ビルディング、工場、駅舎、その他の建造物などにおいて、照明器具の支持、電線やケーブルの配線などの目的で二種金属製線ぴ（寸法が所定値を下回るもの）あるいは金属製ダクト（寸法が所定値以上のもの）と称される長尺の溝型鋼材（以下総称して二種金属製線ぴと記す）が配設される。
【０００３】
図６に示すように、二種金属製線ぴ１は、底板２と、底板２の幅方向の両端から垂直方向に延設された第１、第２の側板３、４と、第１、第２の側板３、４の先端から底板側へ斜め方向に延設された折曲げ縁部５、６を備えている。
【０００４】
この二種金属製線ぴ１は、例えば吊り金具（図示せず）によって天井などに沿って吊下げ支持され、その端部１ａが例えばプルボックス１０の側面板１１の穴１２に接続金具によって接続される。二種金属製線ぴ１の下面側には照明器具（図示せず）などが取付けられ、プルボックス１０内から電線やケーブル（図示せず）が二種金属製線ぴ１内に配線される。
【０００５】
二種金属製線ぴ１の端部１ａのプルボックス１０への接続は、図５に示すように、プルボックス１０の側面板１１の矩形の穴１２の両縁部に接続金具２０の両取付け片２１、２２をビス２３、２３で固定し、図６に示すように接続金具２０の断面コ字状の保持部２４を二種金属製線ぴ１の端部１ａの内側に挿入しているが、プルボックス１０と二種金属製線ぴ１間が機械的に接続されておらず電気的接続が不充分な場合がある。
【０００６】
このようにプルボックス１０と二種金属製線ぴ１間の電気的接続が不充分な場合、両者間に電位差が生じて種々の電気的障害が生じるおそれがあるため、両者間にアースボンド線を接続する必要がある。
【０００７】
このため、従来では、図６に示すように、二種金属製線ぴ１の側板３か４（あるいは底板２）に穴をあけてビス２６を側板４の外側から内側へネジ込み、このビス２６でアースボンド線３０の端子３１を挟持してアースボンド線３０を二種金属製線ぴ１に電気的に接続していた。
【発明の開示】
【発明が解決しようとする課題】
【０００８】
しかしながら、このような従来の二種金属製線ぴ１にビス２６で取付ける方法では、二種金属製線ぴ１の側板４からビス２６の軸部２６ａの先端が二種金属製線ぴ１の内部に突出するため、二種金属製線ぴ１内に配線された電線やケーブル（図示せず）を傷つけるおそれがあった。
【０００９】
このため、ビス２６の取付け後、ビス２６の軸部２６ａの先端に保護体（図示せず）を取付けなければならず、側板４への穴あけ作業や保護体の取付け作業などが極めて煩雑で多大な時間を要していた。
【００１０】
また、二種金属製線ぴ１への照明器具などの取付け、二種金属製線ぴ１内部への電線やケーブルの配線などの作業が終わった後の施工検査段階で設置工事の必要性を指摘される場合があるが、このような場合、二種金属製線ぴ１の側板４に穴あけ加工したり、ビス２６をネジ込んだりすると、二種金属製線ぴ１内部の電線やケーブルを傷つけるおそれがあるため、二種金属製線ぴ１内の配線済みの電線やケーブルを取り除き、ビス２６を取付けた後、もう一度電線やケーブルを配線しなおさなければならないため、大変な手間がかかっていた。
【００１１】
本発明はこのような問題を解決し、二種金属製線ぴへの穴あけ加工を不要にし、二種金属製線ぴ内の電線やケーブルを傷つけるおそれをなくし、施工検査後でも二種金属製線ぴ内の電線やケーブルの除去などの煩雑な作業を不要にした二種金属製線ぴ用アース金具を提供することを目的としている。
【課題を解決するための手段】
【００１２】
前記目的を達成するために、本発明の二種金属製線ぴ用アース金具は
締付けボルトを螺着するための第１のネジ穴とアースボンド線の端子を取付けるためのビスを螺着するための第２のネジ穴を備えた基部と、
前記基部の長手方向の一端から垂直方向に延設された脚部と、
前記脚部の先端から横方向に前記基部と対向するように延設された受け部とを備え、
二種金属製線ぴを前記第１のネジ穴に螺着した締付けボルトの先端部と前記受け部とで挟着するようにしたことを特徴としている。
【発明の効果】
【００１３】
このようにしたため、本発明の二種金属製線ぴ用アース金具を用いれば、従来のように二種金属製線ぴの側板の内側にビスの先端が突出することがないため、二種金属製線ぴ内に配線された電線やケーブルを傷つけるおそれがなくなり、二種金属製線ぴの側板への穴あけやビス先端への保護体の取付けなどの煩雑で多大な時間を要する作業が不要となる。
【００１４】
また、二種金属製線ぴへの照明器具の取付け、二種金属製線ぴ内部への電線やケーブルの配線などの作業が終わった後の施工検査段階でアース工事の必要性を指摘される場合があるが、このような場合、従来では前記したように二種金属製線ぴの側板の穴あけ加工やビスのネジ込みで二種金属製線ぴ内部の電線やケーブルを傷つけるおそれがあるため、配線済みの電線やケーブルを一度取り除き、ビスを取付けた後、もう一度電線やケーブルを配線しなおさなければならないため大変な手間がかかっていたが、本発明の二種金属製線ぴ用アース金具を用いれば、施工検査後のアース工事でも、二種金属製線ぴ内の電線やケーブルの除去などの煩雑な作業が不要になる。
【発明を実施するための最良の形態】
【００１５】
以下、図面に基づいて本発明の実施の形態を説明する。
図１は本発明の二種金属製線ぴ用アース金具の一実施形態を示している。
この二種金属製線ぴ用アース金具４０は、締付けボルトを螺着するための第１のネジ穴とアースボンド線の端子を取付けるためのビスを螺着するための第２のネジ穴を備えた基部と、前記基部の長手方向の一端から垂直方向に延設された脚部と、前記脚部の先端から横方向に前記基部と対向するように延設された受け部とを備えている。
【００１６】
即ち、この二種金属製線ぴ用アース金具４０は金属板から成り、前記基部は、締付けボルトを螺着するための第１のネジ穴４１とアースボンド線の端子を取付けるためのビスを螺着するための第２のネジ穴４２を備えた長方形板状の基板４３と、該基板４３の幅方向（長手方向に直交する方向の意味）の両側から垂直方向に延設された第１、第２の側板４４、４５とを備えている。
【００１７】
前記脚部は、第１、第２の側板４４、４５の長手方向の一端側（第２のネジ穴４２側）からさらに基板４３に対して垂直な方向に延設された第１、第２の脚板４６、４７を備えている。
【００１８】
前記受け部は、第１、第２の脚板４６、４７の先端から横方向に前記基部と対向するように基板４３の長手方向の前記第１のネジ穴４１側の端部と同一に位置するまで延設された第１、第２の受け板４８、４９を備えている。
【００１９】
第１、第２の側板４４、４５の下端と第１、第２の脚板４６、４７の横方向の端部と第１、第２の受け板４８、４９の上端とによって、二種金属製線ぴ１を収容できる大きさのコ字状の切欠き５１、５２が形成されている。
【００２０】
第１、第２の脚板４６、４７の横方向の端部には、第１、第２の受け板４８、４９寄りの端部において，二種金属製線ぴ１のカバー７の曲げ縁板７ａ（あるいは７ｂ）を収容するための凹部５２、５３が設けられている。
【００２１】
第１、第２の受け板４８、４９の上端には、二種金属製線ぴの素地に食い込むための三角形状の突起４８ａ、４９ａが複数設けられている。
【００２２】
第１、第２の脚板２６には、強度増強のための外側へ膨出したリブ５６、５７が長手方向に設けられている。
【００２３】
次に、この二種金属製線ぴ用アース金具４０の使用について説明する。
図２に示すように、二種金属製線ぴ１の底板２側が二種金属製線ぴ用アース金具４０のコ字状の切欠き５０、５１内に収容されるように二種金属製線ぴ用アース金具４０を被せて、基板４３の第１のネジ穴４１に螺着した締付けボルト６０を回転させて第１、第２の受け板４８、４９側へ進出させ、第１、第２の受け板４８、４９の突起４８ａ、４９ａが二種金属製線ぴ１の第１の側板３の外面に接触し、締付けボルト６０の先端部６０ａが第２の側板４の外面に接触した状態で挟み、さらに締付けボルト６０をネジ込んで強く挟持させる。
【００２４】
アースボンド線３０の接続端子３１の穴３１ａにビス７０の軸部７０ａを通し、基板４３の第２のネジ穴４２にこのビス７０の軸部７０ａを螺着し、ネジ込んで基板４３とビス７０の頭部７０ｂとの間で接続端子３１を挟持させる。
【００２５】
このようにすれば、二種金属製線ぴ１の側板３、４に穴あけ加工を施すことなく二種金属製線ぴ１とアースボンド線との電気的接続を実現することができる。
【００２６】
従って、図６に示すようにプルボックス１０に二種金属製線ぴ１の一端１ａを接続した場合、アースボンド線３０の一端を図６に示すようにプルボックス１０に接続し、図２に示すようにアースボンド線３０の他端を二種金属製線ぴ１に二種金属製線ぴ用アース金具４０を用いて接続すればよい。
【００２７】
また、プルボックス１０に２本の二種金属製線ぴが接続されている場合（図示せず）、その２本の二種金属製線ぴ間をアースボンド線で電気的に接続するには、アースボンド線の両端にそれぞれ二種金属製線ぴ用アース金具４０を用いて各二種金属製線ぴ１に図２に示したのと同様に接続すればよい。
【００２８】
また、図６に示すように、二種金属製線ぴ１の開口面にカバー７を被せた場合、従来では、カバー７の蓋板７ｃ、曲げ縁板７ａ、７ｂ及び二種金属製線ぴ１の側板３、４を覆い、底板２の両側を押圧するバネ性を備えたカバー固定金具８０で、カバー７を二種金属製線ぴ１に固定している。
【００２９】
しかし、図３に示すように、二種金属製線ぴ用アース金具４０を用いて、カバー７の蓋板７ｃの外面に、第１、第２の受け板４８、４９の突起４８ａ、４９ａを接触させ、二種金属製線ぴ１の底板２に、第１のネジ穴４１に螺着した締付けボルト６０の先端６０ａを接触させ、締付けボルト６０をさらにネジ込んでカバー７と二種金属製線ぴ１を挟持すれば、図６に示したカバー固定金具８０を用いることなくカバー７を二種金属製線ぴ１に固定することができると共に、カバー７と二種金属製線ぴ１間の電気的接続も果たすことができる。
【００３０】
また、カバー７の表面に塗装が施されていても、第１、第２の受け板４８、４９の鋭角の突起４８ａ、４９ａが素地に食い込んでカバー７に電気的に接触できる。
【００３１】
なお、図３に示すように、二種金属製線ぴ１の側板３を切欠き５０、５１を構成する第１、第２の脚板４６、４７の端面に接触させた場合、第１、第２の脚板４６、４７の端面に設けた凹部５２、５３に、側板３からさらに外方へ突出したカバー７の曲げ縁板７ａが凹部５２、５３の底に接触した状態で収容される。
【００３２】
なお、図４に示すように、二種金属製線ぴ１の開口面に開口面用電線管接続金具９０を固定し、電線管コネクタ１００によって電線管１１０の端部を電線管接続金具９０に固定した場合、アースボンド線３０の一端を電線管コネクタ１００に電気的に接続し、二種金属製線ぴ用アース金具４０を二種金属製線ぴ１に固定して、アースボンド線３０の他端を二種金属製線ぴ用アース金具４０に電気的に接続すれば、二種金属製線ぴ１と電線管１１０間の電気的接続を図ることができる。
【図面の簡単な説明】
【００３３】
【図１】本発明の一実施形態の二種金属製線ぴ用アース金具を示す斜視図
【図２】同実施形態の二種金属製線ぴ用アース金具の使用状態を示す断面図
【図３】同実施形態の二種金属製線ぴ用アース金具の使用状態を示す断面図
【図４】同実施形態の二種金属製線ぴ用アース金具の使用状態を示す斜視図
【図５】プルボックスと接続金具を示す斜視図
【図６】プルボックスに二種金属製線ぴを接続した場合の従来のアースボンド線の接続方法を示す図
【符号の説明】
【００３４】
１  二種金属製線ぴ
２  底板
３、４  側板
７  カバー
１０  プルボックス
３０  アースボンド線
４０  二種金属製線ぴ用アース金具
４１  第１のネジ穴
４２  第２のネジ穴
４３  基板
４６  第１の脚板
４７  第２の脚板
４８  第１の受け板
４９  第２の受け板
５０、５１  切欠き
５２、５３  凹部
６０  締付けボルト
７０  ビス
【図１】
2006302833.tif 000003
【図２】
2006302833.tif 000004
【図３】
2006302833.tif 000005
【図４】
2006302833.tif 000006
【図５】
2006302833.tif 000007
【図６】
2006302833.tif 000008